(57)【要約】【課題】基礎杭に柱体を接続する際、基礎杭の中心と柱体の中心とを偏心して接続することができ、また柱体の各種ボルトピッチに対応する拡径機能を備えるようにした基礎杭と柱体との偏心用接続装置及び施工方法を提供する。【解決手段】接続用板部材２Ａに偏心用ボルト３を挿通した状態で移動し得る長孔４Ａが形成されると共に接続用ボルト５を垂直に固定する丸孔６が形成され、柱体８に設けられたベースプレート１０と基礎杭７に設けられたブラケット１２又はベースプレート９との間に接続用板部材２Ａを四方に配し、夫々の接続用板部材２Ａの長孔４Ａに偏心用ボルト３を結合すると共に、夫々の接続用板部材２Ａの丸孔６に接続用ボルト５を結合して基礎杭７のブラケット１２若しくはベースプレート９、又は柱体８のベースプレート１０に結合することにより、基礎杭７の中心と柱体８の中心とを偏心状態で接続する。【選択図】図１
2008255709.tif 000002
【特許請求の範囲】
【請求項１】
地中に埋設した基礎杭に柱体を接続する接続装置であって、平面形状が略長方形に形成された接続用板部材の長手方向に偏心用ボルトを挿通した状態で移動し得る長孔が形成されると共に、該長孔の軸線上に接続用ボルトを垂直に固定する丸孔が形成され、基礎杭に設けられたブラケット又はベースプレートに接続した偏心用ボルトが前記接続用板部材の長孔に結合されると共に、柱体に設けられたベースプレートに接続した接続用ボルトが前記接続用板部材の丸孔に結合されることにより、基礎杭の中心と柱体の中心とを偏心状態で接続可能としたことを特徴とする基礎杭と柱体との偏心用接続装置。
【請求項２】
地中に埋設した基礎杭に柱体を接続する接続装置であって、平面形状が略長方形に形成された接続用板部材の長手方向に偏心用ボルトを挿通した状態で移動し得る長孔が形成されると共に、該長孔の軸線上に接続用ボルトを垂直に固定する丸孔が形成され、さらに前記接続用板部材に丸孔側の周部の厚さを面方向に増す嵩上げ補強部が設けられ、基礎杭に設けられたブラケット又はベースプレートに接続した接続用ボルトが前記接続用板部材の丸孔に結合されると共に、柱体に設けられたベースプレートに接続した偏心用ボルトが前記接続用板部材の長孔に結合されることにより、基礎杭の中心と柱体の中心とを偏心状態で接続可能としたことを特徴とする基礎杭と柱体との偏心用接続装置。
【請求項３】
地中に埋設した基礎杭に柱体を接続する接続装置であって、平面形状が略三角形に形成された接続用板部材の長手方向に偏心用ボルトを挿通した状態で移動し得る長孔が形成されると共に、該長孔の軸線に対して垂直な線上に接続用ボルトを垂直に固定する丸孔が形成され、基礎杭に設けられたブラケット又はベースプレートに接続した接続用ボルトが前記接続用板部材の長孔に結合されると共に、柱体に設けられたベースプレートに接続した偏心用ボルトが前記接続用板部材の丸孔に結合されることにより、基礎杭の中心と柱体の中心とを偏心状態で接続可能としたことを特徴とする基礎杭と柱体との偏心用接続装置。
【請求項４】
地中に埋設した基礎杭に柱体を接続する接続装置であって、平面形状が略三角形に形成された接続用板部材の長手方向に偏心用ボルトを挿通した状態で移動し得る長孔が形成されると共に、該長孔の軸線に対して垂直な線上に接続用ボルトを垂直に固定する丸孔が形成され、さらに前記接続用板部材に丸孔側の周部の厚さを面方向に増す嵩上げ補強部が設けられ、基礎杭に設けられたブラケット又はベースプレートに接続した接続用ボルトが前記接続用板部材の丸孔に結合されると共に、柱体に設けられたベースプレートに接続した偏心用ボルトが前記接続用板部材の長孔に結合されることによって、基礎杭の中心と柱体の中心とを偏心状態で接続可能としたことを特徴とする基礎杭と柱体との偏心用接続装置。
【請求項５】
地中に埋設した基礎杭に柱体を接続する施工方法であって、接続用板部材に偏心用ボルトを挿通した状態で移動し得る長孔が形成されると共に接続用ボルトを垂直に固定する丸孔が形成され、柱体に設けられたベースプレートと基礎杭に設けられたブラケット又はベースプレートとの間に前記接続用板部材を四方に配し、夫々の接続用板部材の長孔に偏心用ボルトを結合すると共に、夫々の接続用板部材の丸孔に接続用ボルトを結合して、基礎杭のブラケット若しくはベースプレート又は柱体のベースプレートに結合することにより、基礎杭の中心と柱体の中心とを偏心状態で接続することを特徴とする基礎杭と柱体との偏心用接続装置の施工方法。
【発明の詳細な説明】
【技術分野】
【０００１】
本発明は、送配電、通信、街路灯、信号灯等の支柱や仮設建築物の土台等を支持する基礎杭に柱体を接続する際、基礎杭の中心と柱体の中心とを偏心状態で接続することを可能とする基礎杭と柱体との偏心用接続装置及び施工方法に関する。
【背景技術】
【０００２】
送配電、通信、街路灯、信号灯等の支柱や仮設建築物の土台等を支持する基礎杭に柱体を接続するようにした従来の技術文献を参照すると、特許文献１に記載されている打込杭基礎構造は、上部構造物を地中に設けた各支柱のベースプレートに位置補正をして接続可能にしたものであり、スライドプレートのボルト締結位置又はボルト締結高さの調整とスライドプレートに対する各支柱ベースプレートのボルト締結位置の調整によって、地中に打設した各鋼管抗の上方に接続したスライドプレートのＸ軸とＹ軸とＺ軸の三次元方向又は傾き角度或いは捻回角度を調整する構造を有するものである。
【０００３】
ところがこのような構造は、上部構造物を複数の独立基礎で支持する基礎構造であって、スライドベースプレートを用いて上部構造物との位置精度の高い接続を可能とした構造であるため、スライドベースプレートの大きさが大きく、また重量が重く、作業性の面で課題を有していた。また、基礎抗を複数使用するため、位置合せのための移動量が大きく、構造が複雑になるものであった。
【特許文献１】特開２００４−１１２８３号公報
【発明の開示】
【発明が解決しようとする課題】
【０００４】
本発明は、上記の事情に鑑みて成されたもので、送配電、通信、街路灯、信号灯等の支柱や仮設建築物の土台等を支持する基礎杭に柱体を接続する際、基礎杭の中心と柱体の中心とを偏心して接続することができ、また柱体の各種ボルトピッチに対応する拡径機能を備えるようにした基礎杭と柱体との偏心用接続装置及び施工方法を提供することを目的とする。
【課題を解決するための手段】
【０００５】
上記の目的を達成するために、本発明による請求項１の基礎杭と柱体との偏心用接続装置は、地中に埋設した基礎杭に柱体を接続する接続装置であって、平面形状が略長方形に形成された接続用板部材の長手方向に偏心用ボルトを挿通した状態で移動し得る長孔が形成されると共に、該長孔の軸線上に接続用ボルトを垂直に固定する丸孔が形成され、基礎杭に設けられたブラケット又はベースプレートに接続した偏心用ボルトが前記接続用板部材の長孔に結合されると共に、柱体に設けられたベースプレートに接続した接続用ボルトが前記接続用板部材の丸孔に結合されることにより、基礎杭の中心と柱体の中心とを偏心状態で接続可能としたことを特徴とする。
【０００６】
また、本発明による請求項２の基礎杭と柱体との偏心用接続装置は、地中に埋設した基礎杭に柱体を接続する接続装置であって、平面形状が略長方形に形成された接続用板部材の長手方向に偏心用ボルトを挿通した状態で移動し得る長孔が形成されると共に、該長孔の軸線上に接続用ボルトを垂直に固定する丸孔が形成され、さらに前記接続用板部材に丸孔側の周部の厚さを面方向に増す嵩上げ補強部が設けられ、基礎杭に設けられたブラケット又はベースプレートに接続した接続用ボルトが前記接続用板部材の丸孔に結合されると共に、柱体に設けられたベースプレートに接続した偏心用ボルトが前記接続用板部材の長孔に結合されることにより、基礎杭の中心と柱体の中心とを偏心状態で接続可能としたことを特徴とする。
【０００７】
また、本発明による請求項３の基礎杭と柱体との偏心用接続装置は、地中に埋設した基礎杭に柱体を接続する接続装置であって、平面形状が略三角形に形成された接続用板部材の長手方向に偏心用ボルトを挿通した状態で移動し得る長孔が形成されると共に、該長孔の軸線に対して垂直な線上に接続用ボルトを垂直に固定する丸孔が形成され、基礎杭に設けられたブラケット又はベースプレートに接続した接続用ボルトが前記接続用板部材の長孔に結合されると共に、柱体に設けられたベースプレートに接続した偏心用ボルトが前記接続用板部材の丸孔に結合されることにより、基礎杭の中心と柱体の中心とを偏心状態で接続可能としたことを特徴とする。
【０００８】
また、本発明による請求項４の基礎杭と柱体との偏心用接続装置は、地中に埋設した基礎杭に柱体を接続する接続装置であって、平面形状が略三角形に形成された接続用板部材の長手方向に偏心用ボルトを挿通した状態で移動し得る長孔が形成されると共に、該長孔の軸線に対して垂直な線上に接続用ボルトを垂直に固定する丸孔が形成され、さらに前記接続用板部材に丸孔側の周部の厚さを面方向に増す嵩上げ補強部が設けられ、基礎杭に設けられたブラケット又はベースプレートに接続した接続用ボルトが前記接続用板部材の丸孔に結合されると共に、柱体に設けられたベースプレートに接続した偏心用ボルトが前記接続用板部材の長孔に結合されることによって、基礎杭の中心と柱体の中心とを偏心状態で接続可能としたことを特徴とする。
【０００９】
さらに、本発明による請求項５の基礎杭と柱体との偏心用接続装置の施工方法は、地中に埋設した基礎杭に柱体を接続する施工方法であって、接続用板部材に偏心用ボルトを挿通した状態で移動し得る長孔が形成されると共に接続用ボルトを垂直に固定する丸孔が形成され、柱体に設けられたベースプレートと基礎杭に設けられたブラケット又はベースプレートとの間に前記接続用板部材を四方に配し、夫々の接続用板部材の長孔に偏心用ボルトを結合すると共に、夫々の接続用板部材の丸孔に接続用ボルトを結合して、基礎杭のブラケット若しくはベースプレート又は柱体のベースプレートに結合することにより、基礎杭の中心と柱体の中心とを偏心状態で接続することを特徴とする。
【発明の効果】
【００１０】
本発明によれば、基礎杭に設けられたブラケット又はベースプレートと柱体に設けられたベースプレートとの間に本発明の偏心用接続装置を配してボルトで締結することにより、基礎杭に対して柱体を偏心状態で接続することが可能となる。また、このような接続状態において、本発明の偏心用接続装置における接続用板部材に長孔が設けられ、この長孔に基礎杭のブラケット若しくはベースプレート又は柱体のベースプレートに締結した偏心用ボルトが挿通され、長孔の長さの範囲（偏心量）内で柱体を移動可能であるため、柱体の各種ボルトピッチに対応する拡径機能を発揮することができ、偏心の範囲を大きく確保することが可能となる。
【００１１】
また、基礎杭にブラケットが設けられた場合、ブラケットに設けられた長形穴と本発明の偏心用接続装置における接続用板部材の長孔とを組合せて使用することによって、偏心の範囲を大きくとることができ、ブラケットによる拡径範囲よりも更に大きな柱体のボルトピッチに対応することが可能となる。このような効果は、ベースプレートにボルト用の長形穴を設けて使用する場合においても同様に偏心の範囲を大きくとることができ、柱体のボルトピッチの大きさに対応することが可能となる。
【００１２】
さらに、本発明の偏心用接続装置は簡単な構造により、軽量且つ低コストに製造することができ、施工時の取扱いも軽便なものとなる。また、本発明の偏心用接続装置は、基礎杭に設けられたブラケット又はベースプレートと柱体に設けられたベースプレートとの間で複数の独立した箇所に配して取り付ける構造であるため、微細な位置合せを行うことが可能となる。
【発明を実施するための最良の形態】
【００１３】
以下、本発明の実施例について説明する。
【実施例１】
【００１４】
本実施例の基礎杭と柱体との偏心用接続装置は、地中に埋設した基礎杭に柱体を接続する際に使用するものである。なお、図１又は図８には、地中に何らかの埋設物１１が存在する状況が示してあり、その埋設物１１の近傍に基礎杭７を打設した場合、基礎杭７の上部に立てる支柱８を偏心量αだけ移動する必要があり、このような状況において、本発明による偏心用接続装置が有益となる。
【００１５】
以下の説明において、図１及びその他の図面に示すように、基礎杭７の上端外周には複数の三角形状のリブプレート７ａ、７ａ…が固設され、これらのリブプレート７ａ、７ａ…にベースプレート９が固設された構造とされている。また、柱体８の下端外周には複数の三角形状のリブプレート８ａ、８ａ…が固設され、これらのリブプレート８ａ、８ａ…にベースプレート１０が固設された構造とされている。また、本発明においては、基礎杭７のベースプレート９の代わりに、基礎杭７の上端の複数箇所（以下の実施例においては四方の箇所）に固設したブラケット１２を使用することも可能である。
【００１６】
本実施例の偏心用接続装置１（１Ａ）の構成は、図２（ａ）〜（ｃ）に示すように、平面形状が略長方形（四方の隅部にアールを形成している）に形成された接続用板部材２Ａの長手方向に偏心用ボルト３（図３（ａ）参照）を挿通した状態で移動し得る長孔４Ａが形成されると共に、該長孔４Ａの軸線上に接続用ボルト５を垂直に固定する丸孔６が形成された構成とされている。なお、長孔４Ａは中央が長方形状であって両端が半円形に形成されている。また、接続用ボルト５は頭部を持たない棒状のネジ部材であり、接続用板部材２Ａの丸孔６に雌ネジを形成しておき、これに接続用ボルト５の雄ネジを捩じ込むか、その結合部周囲を溶接するか、又は接続用板部材２Ａの丸孔６をネジ山の無い孔として形成し、この丸孔６に接続用ボルト５を挿着して溶接で固定するようにしてもよい。
【００１７】
上記の偏心用接続装置１Ａを用いて施工するには、図１に示すように、地中の基礎杭７の上端外周に設けられたベースプレート９の四方の各ボルト穴９ａ、９ａ…に下方から挿着した偏心用ボルト３を接続用板部材２Ａの長孔４Ａに挿通してナット３ａで結合する。このとき、接続用板部材２Ａは基礎杭７のベースプレート９の上面に当接され、接合用板部材２Ａの丸孔６から接続用ボルト５が上方へ立設された状態になる。この接続用ボルト５に下部ナット５ｂを高さ調節した状態で螺合し、さらに接続用ボルト５の上部の余長に柱体８の下端に設けられたベースプレート１０の四方の各ボルト穴１０ａに挿通してダブルナット５ａで締結する。このような施工により、図１に示すように、基礎杭７の中心と柱体８の中心とを偏心状態（偏心量Ｄ）で接続した構成とすることが可能となる。
【００１８】
図３（ａ）、(ｂ)は、上記の施工によって、基礎杭７の上部に接続した柱体８の偏心状態を示すものであり、基礎杭７のベースプレート９に結合された偏心用ボルト３に対して移動し得る接続用板部材２Ａの長孔４Ａの長さ分が偏心量Ｄとして機能することになる。
【００１９】
なお、本実施例において、図１に示す基礎杭７はその上端にベースプレート９を固設した構成とされているが、その他の実施例として、図４に示すように、基礎杭７の上端外周の四箇所に独立した構成のブラケット１２を溶接等で固設し、夫々のブラケット１２に設けられた長形穴１２ａ（図５参照）に偏心用接続装置１Ａの長孔４Ａに結合された偏心用ボルト３を挿通するようにしてもよい。
【００２０】
なお、図５は、上記のように基礎杭７の四方に設けられたブラケット１２、１２…の夫々に本実施例の偏心用接続装置１Ａを接続した平面状況を示すものである。この図５に示すように、夫々のブラケット１２には基礎杭７の放射方向に長く形成された長形穴１２ａが設けられ、この長形穴１２ａに接続用板部材２Ａの長孔４Ａに結合された偏心用ボルト３を挿通した場合、この偏心用ボルト３がブラケット１２の長形穴１２ａの長さ分だけ移動可能であり、これに加えて接続用板部材２Ａの長孔４Ａの偏心量が組合されることによって、接続用板部材２Ａの丸孔６に結合された接続用ボルト５の偏心範囲を大きく確保することが可能となる。
【００２１】
なお、図５において、２点鎖線Ａは接続用板部材２Ａの長孔４Ａに結合された偏心用ボルト３がブラケット１２の長形穴１２ａの最外方に位置する場合における接続用板部材２Ａの接続用ボルト５の偏心範囲を示すものであり、２点鎖線Ｂは接続用板部材２Ａの長孔４Ａに結合された偏心用ボルト３がブラケット１２の長形穴１２ａの最内方に位置する場合における接続用板部材２Ａの接続用ボルト５の偏心範囲を示すものである。
【実施例２】
【００２２】
本実施例の偏心用接続装置１（１Ｂ）は、図６（ａ）、(ｂ)に示すように、平面形状が略長方形（四方の隅部にアールを形成している）に形成された接続用板部材２Ａの長手方向に偏心用ボルト３（図８参照）を挿通した状態で移動し得る長孔４Ａが形成されると共に、該長孔４Ａの軸線上に接続用ボルト５を垂直に固定する丸孔６が形成されたものであり、このような構成は実施例１と同様である。ただし、本実施例においては、接続用板部材２Ａに丸孔６側の周部の厚さを面方向に増す嵩上げ補強部１４が設けられた構成とされ、さらに嵩上げ補強部１４から接続用板部材２Ａの周縁部に沿って補強片１５が形成された構成とされている。
【００２３】
なお、図６(ａ)(ｂ)には接続用板部材２Ａの丸孔６に結合する接続用ボルト５は図示していない。ちなみに、本実施例の偏心用接続装置１Ｂを図４に示す単体のブラケット１２に結合した状況を示すと、図７（ａ）〜(ｄ)に示すようになる。これらの図に示すように、補強片１５は接続用板部材２Ａの周縁部に形成されているため、接続用板部材２Ａの長孔４Ａに挿通する偏心用ボルト３（図８参照）の締結の妨げにならない構成となる。
【００２４】
本実施例の偏心用接続装置１Ｂを用いて、基礎杭７のベースプレート９と柱体８のベースプレート１０とを接続するには、図８に示すように、接続用板部材２Ａが柱体８のベースプレート１０の下面に当接するように向け、この状態で基礎杭７に設けられたベースプレート９のボルト穴９ａに下方から挿着した接続用ボルト５を接続用板部材２Ａの丸孔６に螺締する。次いで、接続用板部材２Ａの長孔４Ａの下方から偏心用ボルト３を挿入して柱体８のベースプレート１０に設けられたボルト穴１０ａに挿通し、偏心用ボルト３の上部をダブルナット３ａで締結する。
【００２５】
また、図９は、基礎杭７の四方に固設したブラケット１２、１２…の夫々に本実施例の偏心用接続装置１Ｂを配して結合した状況を示すものである。この図に示すように、夫々のブラケット１２には基礎杭７の放射方向に長く形成された長形穴１２ａが設けられ、この長形穴１２ａに接続用板部材２Ａの丸孔６に結合された接続用ボルト５を挿通すると、この接続用ボルト５がブラケット１２の長形穴１２ａの長さ分だけ移動可能であり、これに加えて接続用板部材２Ａの長孔４Ａの偏心量が組合されることによって、接続用板部材２Ａの長孔４Ａに結合される偏心用ボルト３（図８参照）の偏心範囲を大きくとることが可能となる。
【実施例３】
【００２６】
本実施例の偏心用接続装置１（１Ｃ）は、図１０（ａ）〜(ｃ)に示すように、平面形状が略三角形（三方の隅部にアールを形成している）に形成された接続用板部材２Ｂの長手方向に偏心用ボルト３（図１２参照）を挿通した状態で移動し得る長孔４Ｂが形成されると共に、該長孔４Ｂの軸線に対して垂直な線上に接続用ボルト５を垂直に固定する丸孔６が形成された構成とされている。このような偏心用接続装置１Ｃを用いて、基礎杭７に設けられたブラケット１２（又はベースプレート）と柱体８に設けられたベースプレート１０とを接続するには、実施例１で説明した図１と同様の施工方法で実施することが可能であるため、詳細は省略する。ちなみに、その方法によって基礎杭７の上部に柱体８を接続した状態を斜視図で示すと、図１２に示すようになる。このような施工により、本実施例の偏心用接続装置１Ｃによれば、接続用板部材２Ｂの長孔４Ｂの軸線に対して垂直な線上に丸孔６が形成されているため、基礎杭７の周方向に対して柱体８を偏心させることができ、ブラケット１２に設けられた長形穴１２ａ又はベースプレート９にボルト用の長形穴を設けて使用する場合、柱体８のボルトピッチの大きさに対応することが可能となる。
【実施例４】
【００２７】
本実施例の偏心用接続装置１（１Ｄ）は、図１１（ａ）(ｂ)に示すように、平面形状が略三角形（三方の隅部にアールを形成している）に形成された接続用板部材２Ｂの長手方向に偏心用ボルト３（図１１には不図示）を挿通した状態で移動し得る長孔４Ｂが形成されると共に、該長孔４Ｂの軸線に対して垂直な線上に接続用ボルト５（図１１には不図示）を垂直に固定する丸孔６が形成された構成を有する。このような構成は実施例３と同様であるが、本実施例はさらに実施例２で説明したと同様に、接続用板部材２Ｂに丸孔６側の周部の厚さを面方向に増す嵩上げ補強部１４が設けられた構成とされ、さらに嵩上げ補強部１４から接続用板部材２Ｂの周縁部に沿って補強片１５が形成された構成とされている。
【００２８】
このような本実施例の偏心用接続装置１（１Ｄ）を用いて、基礎杭７のベースプレート９（又はブラケット）と柱体８のベースプレート１０とを接続する施工方法は、実施例２で説明したと同様に行うことができるため、説明は省略する。また、その効果も実施例２と同様であるが、本実施例の場合は、接続用板部材２Ｂの長孔４Ｂの軸線に対して垂直な線上に丸孔６が形成されているため、基礎杭７の周方向に対して柱体８を偏心させることができ、ブラケット１２に設けられた長形穴１２ａ又はベースプレート９にボルト用の長形穴を設けて使用する場合、柱体８のボルトピッチの大きさに対応することが可能となる。
【産業上の利用可能性】
【００２９】
本発明の基礎杭と柱体との偏心用接続装置及び施工方法は、送配電、通信、街路灯、信号灯等の支柱や仮設建築物の土台等を支持する基礎杭に柱体を接続する際、基礎杭の中心と柱体の中心とを偏心して接続することができ、また柱体の各種ボルトピッチに対応する拡径機能を備えるようにした基礎杭と柱体との偏心用接続装置及び施工方法として利用可能である。
【図面の簡単な説明】
【００３０】
【図１】本発明の実施例１に係る偏心用接続装置を用いて基礎杭と柱体とを接続した状況を示す側面図である。
【図２】（ａ）は本発明の実施例１に係る偏心用接続装置の斜視図であり、(ｂ)は平面図であり、(ｃ)は側面図である。
【図３】本発明の実施例１に係る偏心用接続装置を用いた際の偏心量を説明するための部分側面図である。
【図４】本発明の実施例１に係る偏心用接続装置を用いて基礎杭と柱体とを接続した状況を示す斜視図である。
【図５】本発明の実施例１に係る偏心用接続装置を基礎杭のブラケットに用いた状況を示す平面図である。
【図６】（ａ）は本発明の実施例２に係る偏心用接続装置の平面図であり、(ｂ)は側面図である。
【図７】（ａ）〜(ｄ)は本発明の実施例２に係る偏心用接続装置を単体のブラケットに取り付けた状況を示す斜視図である。
【図８】本発明の実施例２に係る偏心用接続装置を用いて基礎杭と柱体とを接続した状況を示す側面図である。
【図９】本発明の実施例２に係る偏心用接続装置を基礎杭のブラケットに用いた状況を示す平面図である。
【図１０】（ａ）は本発明の実施例３に係る偏心用接続装置の斜視図であり、(ｂ)は平面図であり、(ｃ)は側面図である。
【図１１】（ａ）は本発明の実施例４に係る偏心用接続装置の平面図であり、(ｂ)は側面図である。
【図１２】本発明の実施例３に係る偏心用接続装置を用いて基礎杭と柱体とを接続した状況を示す斜視図である。
【符号の説明】
【００３１】
１（１Ａ、１Ｂ、１Ｃ、１Ｄ）  偏心用接続装置
２Ａ、２Ｂ  接続用板部材
３  偏心用ボルト
３ａ  ナット（ダブルナット）
４Ａ、４Ｂ  長孔
５  接続用ボルト
５ａ  ナット（ダブルナット）
５ｂ  下部ナット
６  丸孔
７  基礎杭
７ａ  リブプレート
８  柱体
８ａ  リブプレート
９  ベースプレート
９ａ  ボルト穴
１０  ベースプレート
１０ａ  ボルト穴
１１  埋設物
１２  ブラケット
１２ａ  長形穴
１４  嵩上げ補強部
１５  補強片
Ｄ  偏心量
【図１】
2008255709.tif 000003
【図２】
2008255709.tif 000004
【図３】
2008255709.tif 000005
【図４】
2008255709.tif 000006
【図５】
2008255709.tif 000007
【図６】
2008255709.tif 000008
【図７】
2008255709.tif 000009
【図８】
2008255709.tif 000010
【図９】
2008255709.tif 000011
【図１０】
2008255709.tif 000012
【図１１】
2008255709.tif 000013
【図１２】
2008255709.tif 000014